(57)【要約】【課題】  片チャンネルに２個以上のスピーカを有するスピーカ装置を防振構造でテレビジョン受像機本体に取り付ける場合に、２個のスピーカ装置に対して３個の防振ブッシュで取り付けを可能にし、かつ左右共用出来るスピーカ装置を得る。【解決手段】  少なくとも２個のスピーカと、前記スピーカを１つずつ独立して固定するスピーカキャビネットと、前記スピーカキャビネットを保持する為の防振ブッシュとを備えたスピーカ防振装置において、前記スピーカの個数をＸ個、前記防振ブッシュの個数をＹ個とした場合に、前記防振ブッシュの個数Ｙが前記スピーカの個数Ｘに対して、Ｘ＜Ｙ＜２Ｘ（Ｘ、Ｙは正の整数）を満たすことを特徴とする。【選択図】        図１
2008227709.tif 000002
【特許請求の範囲】
【請求項１】
少なくとも２個のスピーカと、前記スピーカを１個ずつ独立して固定するスピーカキャビネットと、前記スピーカキャビネットを保持する防振ブッシュとを備えたスピーカ防振装置において、前記スピーカの個数をＸ個、前記防振ブッシュの個数をＹ個とした場合に、前記防振ブッシュの個数Ｙが前記スピーカの個数Ｘに対して、Ｘ＜Ｙ＜２Ｘ（Ｘ、Ｙは正の整数）を満たすことを特徴とするスピーカ防振装置。
【請求項２】
前記防振ブッシュは、ゴム等弾性体であることを特徴とする請求項１記載のスピーカ防振装置。
【請求項３】
前記請求項１または請求項２記載のスピーカ防振装置を備えたことを特徴とする映像表示装置。
【発明の詳細な説明】
【技術分野】
【０００１】
この発明は、スピーカを備えた映像表示装置におけるスピーカの取り付け構造に関する。
【背景技術】
【０００２】
従来の映像表示装置のスピーカ取り付け構造において、スピーカが発生する振動は可聴領域（一般的には、数Ｈｚから２０ＫＨｚ程度）内の非常に広い範囲の振動であり、その取り付け構造は、その振動が映像表示装置のキャビネットに伝わることを防止するために、スピーカが複数あった場合には、それぞれのスピーカごとにスピーカを固定する為のスピーカキャビネットを設け、該スピーカキャビネットを少なくとも一対の防振ブッシュでキャビネットに固定する必要があった。すなわち、スピーカキャビネットを固定する防振ブッシュの数量は、少なくともスピーカ数Ｘ２個必要であった。
【０００３】
前記従来技術として、防振ブッシュによる取り付け位置をスピーカが取り付けられたスピーカキャビネットの重心位置に施したものがある（例えば、特許文献１参照）。また、防振材をホーン形状にしてスピーカ開口前面に施しているものもある（例えば、特許文献２参照）。後者の場合には、防振ブッシュに相当する防振材は３箇所に施されている。
【特許文献１】特開２００２-１６５２８６号公報（第２貢、第１図）
【特許文献２】特開２００２-１８５８８７号公報（第３項、第１図）
【発明の開示】
【発明が解決しようとする課題】
【０００４】
従来のスピーカ防振装置では、１つのスピーカを固定するために少なくとも２個の防振ブッシュを必要とし、映像表示装置全体として、少なくともスピーカの個数Ｘ２（個）の防振ブッシュが必要であった。
【０００５】
近年、音声信号のデジタル多重化技術の発達、また大画面化にあわせた迫力あるサウンドの要求から、送信される音声のチャネル数（ここでのチャネルとは、例えばＬ、Ｒ、Ｃ等を示す。）が増加するとともに、各チャネル毎のスピーカ出力および用いられるスピーカの個数が増加する傾向にある。特に大画面を提供する映像表示装置では、１つのチャネルに複数個のスピーカを用いて音声を出力する場合が増えている。例えば、Ｌチャネルに可聴領域全体をカバーする特性のスピーカを設けると共に、特に音楽を視聴する場合等に高域と低域をカバーする為にそれぞれの特性に優れたスピーカを組み合わせて配置する場合等がある。
【０００６】
このような映像表示装置では、それぞれ異なる周波数領域をカバーする複数個のスピーカを映像表示装置のキャビネットの限られた箇所に固定する。そこで、それぞれのスピーカ間で生じる共振によるキャビネットのビビリ等を防止するため、１つのスピーカを１つのスピーカキャビネットに固定した上で、少なくとも一対の防振ブッシュを用いて映像表示装置のキャビネットに固定する必要があった。その為、設けられる防振ブッシュの個数が多くなるばかりでなく、取り付け構造が複雑になり、取り付け工程が増えるというの課題があった。
【課題を解決するための手段】
【０００７】
この発明に係るスピーカ防振装置は、少なくとも２個のスピーカと、前記スピーカを１個ずつ独立して固定するスピーカキャビネットと、前記スピーカキャビネットを保持する為の防振ブッシュとを備えたスピーカ防振装置において、前記スピーカの個数をＸ個、前記防振ブッシュの個数をＹ個とした場合に、前記防振ブッシュの個数Ｙが前記スピーカの個数Ｘに対して、Ｘ＜Ｙ＜２Ｘ（Ｘ、Ｙは正の整数）を満たすことを特徴とする。
【発明の効果】
【０００８】
この発明は、映像表示装置のキャビネットに防振対策を施して複数個のスピーカを取り付ける場合に、取り付けに必要な防振ブッシュの個数を少なくするとともに、簡単な取り付け構造を提供し、取り付け工程を減らすという効果を有する。
【発明を実施するための最良の形態】
【０００９】
実施の形態１．
図１はこの発明の実施の形態１に係るスピーカ防振装置を示す図である。また、図２はこの発明の実施の形態１に係るスピーカ防振装置を映像表示装置の前面キャビネット１に取り付けた場合の構造図である。以下、これらの図を用いて、この発明の実施の形態１に係るスピーカ防振装置を説明する。
【００１０】
図１において、映像表示装置の前面キャビネット１（図１では、図示していない。図２参照。）の内壁には、軸部分が円柱形の構造を持ち、両端には外径が軸部分のそれよりも大きい円柱形を配した形状（以下、糸巻き形状という）をした第１防振ブッシュ２、第２防振ブッシュ３、及び第３防振ブッシュ４が所定の間隔をあけて設けられている。これらの防振ブッシュは、例えばゴム等の弾性体を使用したものである。
【００１１】
１つのチャネルに割り振られた音声の通常可聴領域全体をカバーするために設けられたメインスピーカである第１スピーカ５は、その４角に設けられた第１ネジ貫通孔６ａ〜６ｄに、それぞれ４本の第１ネジ７ａ〜７ｄを貫通させることにより、略中央部に第１スピーカ５のコーン紙（ここでは、図示していない。）部分に相当する開口部を設け、第１スピーカ５を独立して固定する第１スピーカキャビネット８の第１スピーカ５側内面４箇所に設けられた第１ネジ受け部９ａ〜９ｄに、それぞれにネジ固定される。
【００１２】
また、同様に、高域をカバーする為に設けられたサブスピーカである第２スピーカ１０は、その４角に設けられた第２ネジ貫通孔１１ａ〜１１ｄに、それぞれ４本の第２ネジ１２ａ〜１２ｄを貫通させることにより、略中央部に第２スピーカ１０のコーン紙（ここでは、図示していない。）部分に相当する開口部を設けた第２スピーカ１０を独立して固定する第２スピーカキャビネット１３の第２スピーカ１０側内面４箇所に設けられた第２ネジ受け部１４ａ〜１４ｄに、それぞれネジ固定される。
【００１３】
第１スピーカキャビネット８の両サイドの背面側、すなわち第１スピーカ５の取り付け側には、第１防振ブッシュ２および第２防振ブッシュ３を挟み込むようにして第１スピーカキャビネット８を保持する為の第１Ｃ型保持形状部分１５と第２Ｃ型保持形状部分１６が設けられている。また、同様に第２スピーカキャビネット１３の両サイドの前面側、すなわち前面キャビネット１側には、第１防振ブッシュ２および第３防振ブッシュ４を挟み込むようにして、第２スピーカキャビネット１３を保持する為の第３Ｃ型保持形状部分１７と第４Ｃ型保持形状部分１８が設けられている。
【００１４】
次に第１スピーカ５の前面キャビネット１への取り付け方法について説明する。第１スピーカ５がネジ固定された第１スピーカキャビネット８の第１Ｃ型保持形状部分１５を、第１防振ブッシュ２に押し当ててＣ型に刳り貫かれた部分で第１防振ブッシュ２を挟み込む。同様にして、他端に設けられた第２Ｃ型保持形状部分１６を、第２防振ブッシュ３に押し当ててＣ型に刳り貫かれた部分で第２防振ブッシュ３挟み込む。このように、両サイドに設けられたＣ型保持形状部分で防振ブッシュを挟み込むことで、第１スピーカ５を前面キャビネット１へ防振構造を施して取り付ける。
【００１５】
ここで、第１防振ブッシュ２および第２防振ブッシュ３における所定の間隔は、第１Ｃ型保持形状部分１５と第２Ｃ型保持形状部分１６の刳り貫き部分の間隔と略同一である。さらに、第１防振ブッシュ２および第２防振ブッシュ３は、ゴム等の弾性体で構成されていることから、これら防振ブッシュを変形させることで容易に取り付け可能なことはいうまでもない。さらに、抜け防止の為、第１Ｃ型保持形状部分１５と第２Ｃ型保持形状部分１６の刳り貫き部分の内径は、それぞれ第１防振ブッシュ２および第２防振ブッシュ３の外径より少し小さめに構成されている。
【００１６】
同様に第２スピーカ１０の前面キャビネット１への取り付け方法について説明する。第２スピーカ１０がネジ固定された第２スピーカキャビネット１３の第３Ｃ型保持形状部分１７を、第１防振ブッシュ２に押し当ててＣ型に刳り貫かれた部分で第１防振ブッシュ２を挟み込む。同様にして、他端に設けられた第４Ｃ型保持形状部分１８を、第３防振ブッシュ４に押し当ててＣ型に刳り貫かれた部分で第３防振ブッシュ４挟み込む。このように、両サイドに設けられたＣ型保持形状部分で防振ブッシュを挟み込むことで、第２スピーカ１０を前面キャビネット１へ防振構造を施して取り付ける。
【００１７】
また、同様に第１防振ブッシュ２および第３防振ブッシュ４における所定の間隔は、第３Ｃ型保持形状部分１７と第４Ｃ型保持形状部分１８の刳り貫き部分の間隔と略同一である。さらに、第１防振ブッシュ２および第３防振ブッシュ４は、ゴム等の弾性体で構成されていることから、これら防振ブッシュを変形させることで容易に取り付け可能なことはいうまでもない。さらに、抜け防止の為、第３Ｃ型保持形状部分１７と第４Ｃ型保持形状部分１８の刳り貫き部分の内径は、それぞれ第１防振ブッシュ２および第３防振ブッシュ４の外径より少し小さめに構成されている。
【００１８】
なお、第１防振ブッシュ２には、第１スピーカキャビネット８の第１Ｃ型保持形状部分１５と第２スピーカキャビネット１３の第３Ｃ型保持形状部分１７がそれぞれ挿入されることとなるが、第１Ｃ型保持形状部分１５は第１スピーカキャビネット８の背面側、すなわち第１スピーカ５の取り付け側に設けられ、第３Ｃ型保持形状部分１７は第２スピーカキャビネット１３の前面側、すなわち前面キャビネット１側に設けられていることから、これらのＣ型保持形状部分が互いにぶつかり合うことはない。
【００１９】
さらに、図１において、第２防振ブッシュ３および第３防振ブッシュ４における糸巻き形状の軸部分は、第１防振ブッシュ２のそれより狭く示されているが、特にＣ型保持形状部分が収まる幅があれば構わない。同様に第１防振ブッシュ２のそれは、Ｃ型保持形状部分が２つ収まる幅があれば構わない。
【００２０】
また、上記機能を満たせば、第１防振ブッシュ２、第２防振ブッシュ３および第３防振ブッシュ４は同一形状でもよく、また、第２防振ブッシュ３および第３防振ブッシュ４のみが同一形状でも良い。
【００２１】
なお、第１スピーカ５および第２スピーカ１０は、それぞれネジにより、それぞれのスピーカキャビネットである第１スピーカキャビネット８および第２スピーカキャビネット１３に固定されたが、接着式、はめ込み式等の方法により、特にネジを使用しなくとも、スピーカがスピーカキャビネットに固定されさえすればどのような方法で取り付けようと構わない。
【００２２】
このように構成されたスピーカ防振装置では、スピーカの個数をＸ個、前記防振ブッシュの個数をＹ個とした場合に、スピーカの個数は２個、防振ブッシュの個数は３個となり、防振ブッシュの個数Ｙが、Ｘ＜Ｙ＜２Ｘ（Ｘ、Ｙは正の整数）を満足する
【００２３】
このように構成されたスピーカ防振装置において、それぞれのスピーカの振動が、一緒に取り付けられている別のスピーカにほとんど伝わることは無く、また映像表示装置の前面キャビネット１にスピーカの振動が伝わることもほとんど無い為、ビビリ音等不快な共振音を発生させることなく、しかも簡単に取り付けられるシンプルな構造のスピーカ防振装置を得ることができる。
【００２４】
また、このように構成したスピーカ防振装置においては、例えば、Ｌ、Ｒといった映像表示装置の前面キャビネット１の左右両方にそれぞれ複数個のスピーカを設けるような場合において、左右対称となる構造を取ることができ、左右のスピーカ防振装置を共用できる。
【００２５】
実施の形態２．
図３はこの発明の実施の形態２に係るスピーカ防振装置を示す図である。上記実施の形態１では、１つの糸巻き形状を持つ第１防振ブッシュ２の共通した軸部分に第１Ｃ型保持形状部分１５と第３Ｃ型保持形状部分１７が接触して取り付けられる可能性があった。
【００２６】
そこで、第１防振ブッシュ２の構造を、２つの糸巻き形状を組み合わせた構造、すなわち、糸巻き形状の軸部分の所定の位置に外径が軸部分のそれよりも大きな円柱形をした壁を設けることにより、軸部分を分離した構造である第４防振ブッシュ１９とすることで、第１Ｃ型保持形状部分１５と第３Ｃ型保持形状部分１７との間に常に壁が介在する形とし、距離を持たせて取り付けることができる。
【００２７】
このように構成することで、第１スピーカキャビネット８と第２スピーカキャビネット１３が第１Ｃ型保持形状部分１５と第３Ｃ型保持形状部分１７の部分で直接接触する恐れが無くなる。これにより振動がより伝わり難くなるため、防振構造により適したスピーカ防振装置を得ることができる。
【００２８】
なお、第２防振ブッシュ３および第３防振ブッシュ４は、第４防振ブッシュ１９と同一形状であってもよい。
【００２９】
さらに、同一形状とした場合には、例えば図４（ここではスピーカを４つ並べて取り付けた構造を示す。）で示すように、同様の取り付け構造をもつ３以上のスピーカキャビネットを順次並べて配置することも可能である。
【００３０】
このように構成されたスピーカ防振装置では、スピーカの個数をＸ個、前記防振ブッシュの個数をＹ個とした場合に、スピーカの個数は４個、防振ブッシュの個数は５個となり、防振ブッシュの個数Ｙが、Ｘ＜Ｙ＜２Ｘ（Ｘ、Ｙは正の整数）を満足する
【００３１】
また、防振ブッシュを糸巻き形状が３個以上組み合わされた構造、すなわち、糸巻き形状の軸部分の所定の位置に外径が軸部分のそれよりも大きな円柱形をした壁を２箇所以上設けることにより、軸部分が３つ以上の部分に分割された構造としても良い。
【００３２】
この場合、隣り合うスピーカキャビネットに設けられたＣ型保持形状部分の取り付け位置をスピーカキャビネットの厚み方向（スピーカ取り付け方向に対して垂直な方向）に対して、それぞれずれた位置に取り付けることにより、スピーカ面を合わせることができる。
【００３３】
このような構造とすることで、例えば図５（ここでは４つの部分に分離した第５防振ブッシュ２０に、上下左右に取り付けた構造を示す。）に示されるように、上下左右あらゆる方向にスピーカが取り付け可能となり、作業性のみならず、空間をより有効に活用できるという効果を有する。
【００３４】
なお、これらのスピーカを保持する為には、それぞれのスピーカが固定されたスピーカキャビネットを挟んで、第５防振ブッシュ２０と対向する位置に、第６防振ブッシュ２１（図５では、１つのみ記載し、他の３つを省略している。）を設ける必要がある。
【００３５】
このように構成されたスピーカ防振装置では、スピーカの個数をＸ個、前記防振ブッシュの個数をＹ個とした場合に、スピーカの個数は４個、防振ブッシュの個数は５個となり、防振ブッシュの個数Ｙが、Ｘ＜Ｙ＜２Ｘ（Ｘ、Ｙは正の整数）を満足する
【００３６】
実施の形態３．
図６はこの発明の実施の形態３に係るスピーカ防振装置を示す図である。上記実施の形態１では、防振ブッシュを糸巻き形状とし、Ｃ型保持形状部分を用いて挟み込むことでスピーカキャビネットを保持したが、例えば、円柱形の防振ブッシュ、円柱防振ブッシュ２２の頂点側（前面キャビネットとは逆側）に少なくとも１箇所に穴を設け、当該穴にスピーカキャビネットの両端に設けられた円柱ブッシュ２３を差し込むことでスピーカキャビネットを保持することも可能である。
【００３７】
図６において、スピーカキャビネットの両端に設けられた円柱ブッシュ２３のスピーカキャビネットへの取り付けは、両サイドで異なる位置に設けられており、互いにぶつからない構造となっている。
【００３８】
さらに、図７に示すように、上記実施の形態２同様に複数個のスピーカを連鎖的に保持する構造を取ることも可能である。
【００３９】
また、図８に示すように、上記実施の形態２同様に上下左右あらゆる方向にスピーカを取り付ける構造を取ることも可能となり、作業性のみならず、空間をより有効に活用できるという効果を有する。
【００４０】
なお、この発明の実施の形態３に係るスピーカ防振装置においては、スピーカキャビネットのＣ型保持形状部分を防振ブッシュ側面から挿入する方法とは異なり、円柱ブッシュ２２を円柱防振ブッシュ２１の穴に背面から押さえつけるように差し込むことで固定することができるので、より簡単に取り付けることができるという効果を有する。
【図面の簡単な説明】
【００４１】
【図１】この発明の実施の形態１を示すスピーカ防振装置に係る構造図である。
【図２】この発明の実施の形態１を示すスピーカ防振装置を備えた前面キャビネットの図である。
【図３】この発明の実施の形態２を示すスピーカ防振装置に係る構造図である。
【図４】この発明の実施の形態２を示すスピーカ防振装置に係るスピーカを順次並べて配置した場合の図である。
【図５】この発明の実施の形態２を示すスピーカ防振装置に係るスピーカを上下左右に配置した場合の図である。
【図６】この発明の実施の形態３を示すスピーカ防振装置に係る構造図である。
【図７】この発明の実施の形態３を示すスピーカ防振装置に係るスピーカを順次並べて配置した場合の図である。
【図８】この発明の実施の形態３を示すスピーカ防振装置に係るスピーカを上下左右に配置した場合の図である。
【符号の説明】
【００４２】
１  前面キャビネット、２  第１防振ブッシュ、３  第２防振ブッシュ、４  第３防振ブッシュ、５  第１スピーカ、６ａ〜６ｄ  第１ネジ貫通孔、７ａ〜７ｄ  第１ネジ、８  第１スピーカキャビネット、９ａ〜９ｄ  第１ネジ受け部、１０  第２スピーカ、１１ａ〜１１ｄ  第２ネジ貫通孔、１２ａ〜１２ｄ  第２ネジ、１３  第２スピーカキャビネット、１４ａ〜１４ｄ  第２ネジ受け部、１５  第１Ｃ型保持形状部分、１６  第２Ｃ型保持形状部分、１７  第３Ｃ型保持形状部分、１８  第４Ｃ型保持形状部分、１９  第４防振ブッシュ、２０  第５防振ブッシュ、２１  第６防振ブッシュ、２２  円柱防振ブッシュ、２３  円柱ブッシュ
【図１】
2008227709.tif 000003
【図２】
2008227709.tif 000004
【図３】
2008227709.tif 000005
【図４】
2008227709.tif 000006
【図５】
2008227709.tif 000007
【図６】
2008227709.tif 000008
【図７】
2008227709.tif 000009
【図８】
2008227709.tif 000010